(57)【要約】【課題】デジタルカメラで撮像する撮像画像と同一又はほぼ同一のイメージをプレビュー確認時に細部を含めて確認でき、不慣れな利用者でも思い通りの撮像画像を取得できる写真シール自動作成装置を提案し、利用者の満足度を向上する。【解決手段】表示手段で被写体のポーズの確認画像を表示し該被写体を１以上の撮像手段で撮像して撮像画像を作成する撮像処理を許容し、編集対象の画像を編集手段で編集して編集画像を作成する編集処理を許容し、所定の画像を出力手段で出力する写真シール自動作成方法又はその装置であって、前記撮像手段の移動又は／及び複数の前記撮像手段から単一の選択による撮像位置の変更を許容し、前記表示手段で表示する前記確認画像の表示位置の変更を許容し、前記撮像手段の撮像位置の変更に基づいて、該撮像位置の変更と同じ方向に前記表示手段の前記確認画像の表示位置を表示位置制御手段で変更制御する。【選択図】　　図１
2004032504.tif 000002
【特許請求の範囲】
【請求項１】
表示手段で被写体のポーズの確認画像を表示し該被写体を１以上の撮像手段で撮像して撮像画像を作成する撮像処理を許容し、
編集対象の画像を編集手段で編集して編集画像を作成する編集処理を許容し、
所定の画像を出力手段で出力する写真シール自動作成方法であって、
前記撮像手段の被写体に対する相対的な撮像位置の変更を許容し、
前記表示手段で表示する前記確認画像の表示位置の変更を許容し、
前記撮像手段の撮像位置の変更に基づいて、該撮像位置の相対変更と同じ相対方向に前記表示手段の前記確認画像の表示位置を表示位置制御手段で変更制御する写真シール自動作成方法。
【請求項２】
前記表示位置制御手段を、前記撮像手段に対する被写体の視線方向と、前記表示手段の確認画像に対する被写体の視線方向とが同一方向又はほぼ同一方向となるように変更制御する
請求項１記載の写真シール自動作成方法。
【請求項３】
前記撮像手段の撮像位置の変更を、該撮像手段に連結した撮像用駆動手段又は／及び複数備えた該撮像手段の単一を選択する選択制御手段で実行し、
前記表示手段の前記確認画像の表示位置の変更を、該表示手段におけるスクリーン面に前記確認画像を投射する画像投射装置に連結した投射用駆動手段で実行する
請求項１又は２記載の写真シール自動作成方法。
【請求項４】
前記表示手段による前記確認画像の投射範囲を投射範囲制御手段で変更する
請求項１、２又は３記載の写真シール自動作成方法。
【請求項５】
表示手段で被写体のポーズの確認画像を表示し該被写体を１以上の撮像手段で撮像して撮像画像を作成する撮像処理を許容し、
編集対象の画像を編集手段で編集して編集画像を作成する編集処理を許容し、
所定の画像を出力手段で出力する写真シール自動作成装置であって、
前記撮像手段の被写体に対する相対的な撮像位置の変更を許容し、
前記表示手段で表示する前記確認画像の表示位置の変更を許容し、
前記撮像手段の撮像位置の変更に基づいて、該撮像位置の相対変更と同じ相対方向に前記表示手段の前記確認画像の表示位置を変更制御する表示位置制御手段を備えた
写真シール自動作成装置。
【請求項６】
前記表示位置制御手段を、前記撮像手段に対する被写体の視線方向と、前記表示手段の確認画像に対する被写体の視線方向とが同一方向又はほぼ同一方向となるように変更制御するように設定した
請求項５記載の写真シール自動作成装置。
【請求項７】
前記撮像手段の撮像位置の変更を、該撮像手段に連結した撮像用駆動手段又は／及び複数備えた該撮像手段の単一を選択する選択制御手段で実行可能に形成し、
前記表示手段の前記確認画像の表示位置の変更を、該表示手段におけるスクリーン面に前記確認画像を投射する画像投射装置に連結した投射用駆動手段で実行可能に形成した
請求項５又は６記載の写真シール自動作成装置。
【請求項８】
前記表示手段による前記確認画像の投射範囲を変更する投射範囲制御手段を備えた
請求項５、６又は７記載の写真シール自動作成装置。
【請求項９】
画像が印刷されるシール紙と、該シール紙の真偽を識別させる識別体を備え、請求項１から８のいずれか１つに記載の写真シール自動作成方法又は写真シール自動作成装置に備えられた識別手段で、前記識別体が識別されて前記所定の画像が印刷される
シール紙ユニット。
【請求項１０】
請求項１から８のいずれか１つに記載の写真シール自動作成方法又は写真シール自動作成装置で、前記所定の画像を印刷する又は印刷した
写真シールシート。
【発明の詳細な説明】
【０００１】
【発明の属する技術分野】
この発明は、例えばゲームセンター等のアミューズメント施設に設置し、利用者を撮像してその撮像画像に落書き編集することを許容し、編集後の編集画像を印刷して写真シールシートを作成するような、写真シール自動作成方法とその装置に関する。
【０００２】
【従来の技術】
従来、デジタルカメラで撮影する撮像空間内の被写体をモニタにプレビュー表示し、これを見てポーズを確定した被写体を照明装置で照明すると共に前記デジタルカメラで撮像し、該撮像による撮像画像に対してタッチパネルで落書き編集を許容し、該編集による編集画像を印刷して写真シールシートを作成する写真シール自動作成装置が存在している。
【０００３】
このような写真シール自動作成装置は、被写体の目線の高さから撮像できるように前記デジタルカメラを筐体の上方に備え、該デジタルカメラの左右に前記照明装置を備えたものが一般的である。
【０００４】
近年は、デジタルカメラで撮像できる撮像画像の種類を増加させる傾向にあり、デジタルカメラを上下移動する、あるいは上下に２つ備えて選択可能にする写真シール自動作成装置が存在している。
【０００５】
【発明が解決しようとする課題】
しかし、前記モニタは筐体のほぼ中央位置や、デジタルカメラから離れた位置に設けられており、被写体である利用者がプレビュー確認をするとデジタルカメラと目線があっておらず、撮像画像の仕上がりをある程度想像して撮像する必要があった。特に、デジタルカメラを移動させる、あるいは複数のデジタルカメラの一つを選択させるといった撮像位置の変更を許容するような場合には、モニタの位置はさらにデジタルカメラと離れることもあり、仕上がりのイメージが把握しにくいという問題が発生していた。
【０００６】
また、全身撮像のために筐体から離れて撮像する場合には、筐体に備えたモニタでは表示が小さいため、大体のポーズしか識別できず表情等の細部までは確認できないという問題もあった。このため、特に近眼の利用者は撮像が完了するまで撮像画像のイメージがわからない等、利用者に不便を強いる結果となっていた。
【０００７】
この発明は、デジタルカメラの撮像位置を変更させた場合でも、該デジタルカメラで撮像する撮像画像と同一又はほぼ同一のイメージをプレビュー確認時に細部を含めて確認でき、不慣れな利用者でも思い通りの撮像画像を取得できる写真シール自動作成装置を提案し、利用者の満足度を向上することを目的とする。
【０００８】
【課題を解決するための手段】
この発明は、表示手段で被写体のポーズの確認画像を表示し該被写体を１以上の撮像手段で撮像して撮像画像を作成する撮像処理を許容し、編集対象の画像を編集手段で編集して編集画像を作成する編集処理を許容し、所定の画像を出力手段で出力する写真シール自動作成方法又はその装置であって、前記撮像手段の被写体に対する相対的な撮像位置の変更を許容し、前記表示手段で表示する前記確認画像の表示位置の変更を許容し、前記撮像手段の撮像位置の変更に基づいて、該撮像位置の相対変更と同じ相対方向に前記表示手段の前記確認画像の表示位置を表示位置制御手段で変更制御する写真シール自動作成方法はその装置であることを特徴とする。
これにより、撮像手段の撮像位置の相対変更に対して、表示手段の確認画像の表示位置を対応させることができ、確認画像が見やすくなり利用者の利便性と撮像画像に対する満足度が向上する。
【０００９】
前記撮像手段は、デジタルカメラ又はデジタルビデオカメラで構成することを含む。
前記編集手段は、タッチペン又は指でタッチされた座標を取得するタッチパネルやマウス等のポインティングデバイスで構成することを含む。
【００１０】
前記編集対象の画像は、前記撮像画像のほか、通信手段又は記憶媒体読取手段等のデータ取込手段で取得する画像、すなわち個人用デジタルカメラでの撮像やパソコンでのグラフィック制作等によるデジタル画像や、写真や絵画等の実画像をスキャナでスキャニングしたスキャニング画像で構成することを含む。
【００１１】
前記所定の画像は、前記撮像画像、前記デジタル画像、又は前記スキャニング画像等の編集前の画像、又はこれら編集前の画像を編集手段で編集した編集画像、又は、前記編集前の画像又は／及び前記編集画像から選択された複数の画像で構成することを含む。
【００１２】
前記出力手段は、モノトーンプリンタ、セピア（ｓｅｐｉａ）トーンプリンタ又はカラープリンタ等画像を印刷する印刷手段、画像データを送信する通信手段、又は画像データを記憶媒体に書き込む記憶媒体リーダ／ライタで構成することを含む。
【００１３】
前記撮像手段の撮像位置の変更は、撮像手段の移動、撮像手段の揺動、複数の撮像手段から単一の選択、又はこれらの組み合わせによる撮像手段の変動で実行することを含む。なお、前記撮像手段の移動は、上下移動又は／及び左右移動等の平行移動、撮像手段から離れた位置を回転軸とする回転移動を含む。また、前記撮像手段の揺動は、撮像手段又は撮像手段近傍を揺動軸とする揺動を含む。また、前記複数の前記撮像手段から単一の選択は、筐体に撮像位置を異ならせて複数（例えば２つ）備えた撮像手段のうち一つを選択、筐体に１以上備えると共に筐体以外の場所（例えば撮像空間の天井面や側面等）にも１以上備えた撮像手段のうち一つを選択、又は、筐体以外の場所（例えば撮像空間の天井面や側面等）に複数備えた撮像手段の一つを選択することを含む。
【００１４】
前記相対変更は、被写体から見た撮像手段の位置変更を示し、例えば撮像手段が上方へ移動すれば被写体から見て上方移動となり、また撮像手段が下方に向けて揺動すれば被写体から見て上方移動となる。すなわち、例えば撮像方向が水平から下方へ向くように撮像手段を下方に揺動したとする。この場合、撮像方向の角度が変更されて撮像範囲が移動することとなり、被写体は撮像手段の正面から撮像手段の斜め下の位置に移動する必要が生じる。このとき、被写体から見ると、正面にあった撮像手段が斜め上に移動したのと同様の状態となり、撮像手段の下方への揺動は被写体にとって撮像手段が上方へ移動したことと同義となる。
【００１５】
前記撮像位置は、撮像に使用する撮像手段が被写体に対して存在する相対位置を示す。
【００１６】
前記表示手段は、スクリーン面に画像を投射するプロジェクタや映写機等の画像投射装置、液晶モニタやブラウン管ディスプレイ等のモニタ装置、又は、鏡やハーフミラーや金属板等の反射部材で構成することを含む。なお、前記モニタ装置は、撮像手段の撮像位置の変更に基づいて若しくは同期して移動する、又は／及び、複数のモニタから単一を選択することを可能に形成することを含む。また、前記反射部材は、撮像手段の撮像位置の変更に基づいて若しくは同期して移動又は／及び揺動可能に形成することを含む。
【００１７】
前記表示位置制御手段は、表示手段の位置又は／及び角度の変更を制御する制御装置、又は／及び、前記表示手段で表示する確認画像の表示位置をソフトウェア的に制御する制御装置で構成することを含む。該表示位置制御手段による前記確認画像の表示位置の変更制御は、前記撮像手段の撮像位置の変更に連動して変更する、又は撮像位置確定後に変更する制御で構成することを含む。
【００１８】
前記撮像位置の相対変更と同じ相対方向への表示位置の変更は、次のような変更で実行することを含む。
１．撮像手段を駆動する場合で、被写体に対する撮像手段の位置及び確認画像の表示位置の距離が同一又はほぼ同一の場合、撮像手段の移動方向と同じ方向へ確認画像を移動する。
２．撮像手段を駆動する場合で、被写体に対して撮像手段の位置より確認画像の表示位置が近い場合、撮像手段の移動方向又は揺動方向と同じ方向へ確認画像を移動する。
３．撮像手段を駆動する場合で、被写体に対して撮像手段の位置より確認画像の表示位置が遠い場合、撮像手段を移動した場合は該移動方向と同じ方向へ確認画像を移動し、撮像手段を揺動した場合は該揺動方向と反対の方向へ確認画像を移動する。
４．複数の前記撮像手段から単一を選択して撮像位置を変更した場合、変更後の撮像位置と同じ方向に確認画像を移動する、又は、複数備えた表示手段のうち変更後の撮像位置近傍に確認画像を表示する表示手段を選択する。
【００１９】
前記構成により、利用者は撮像手段の撮像位置を変更しても、これに対応した表示位置で確認画像を確認できる。すなわち、撮像位置の変更によってカメラ目線が移動する方向と、同じ方向に目線を移動して確認画像を確認することができる。特に、被写体をほぼ等身大で表示可能な画像投射装置や大型モニタ装置等の大型表示手段で前記表示手段を形成した場合には、顔の写り具合、頭髪の乱れ具合、及び襟元の感じ等、細部まで確認することができ、思い通りの撮像画像を容易に作成することができる。
【００２０】
好ましい実施の形態として、前記表示位置制御手段を、前記撮像手段に対する被写体の視線方向と、前記表示手段の確認画像に対する被写体の視線方向とが同一方向又はほぼ同一方向となるように変更制御することができる。
【００２１】
前記同一方向は、被写体の撮像手段に対する視線方向と表示手段に対する視線方向とが一致することを示す。
前記ほぼ同一方向は、被写体の撮像手段に対する視線方向と表示手段に対する視線方向との内角が鋭角になる程度、又は確認画像の表示範囲内に撮像手段の撮像位置を位置させる程度とすることを含む。
【００２２】
前記構成により、利用者は見やすい位置で撮像画像を確認することができ、撮像画像と同一又はほぼ同一のイメージを撮像前に明確に把握することができる。
【００２３】
好ましい実施の形態として、前記撮像手段の撮像位置の変更を、該撮像手段に連結した撮像用駆動手段又は／及び複数備えた該撮像手段の単一を選択する選択制御手段で実行し、前記表示手段の前記確認画像の表示位置の変更を、該表示手段におけるスクリーン面に前記確認画像を投射する画像投射装置に連結した投射用駆動手段で実行するで実行することができる。
【００２４】
前記撮像用駆動手段は、２以上のプーリに張架したベルトに撮像手段を連結して前記プーリをモータ（例えば正逆転可能なパルスモータ）で正逆回転させるベルト駆動装置、４点支持によるスライド移動を可能にするスライド駆動装置、エアーシリンダによる昇降駆動装置、モータ駆動によって撮像手段を揺動する揺動駆動装置等、撮像手段を移動又は／及び揺動させる駆動装置で構成することを含む。
【００２５】
前記スクリーン面は、筐体正面の白色面、又は／及び照明装置正面の白色面など、白色又はその他の色に形成した平面部で構成することを含む。
【００２６】
前記画像投射装置は、制御装置等の他の装置から受信のデジタル画像を投射するプロジェクタ、又は、フィルムに記録のアナログ画像を投射する映写機等、画像を投射して前記スクリーン面に画像を投影可能な画像投射装置で構成することを含む。
【００２７】
前記投射用駆動手段は、２以上のプーリに張架したベルトに画像投射装置を連結して前記プーリをモータ（例えば正逆転可能なパルスモータ）で正逆回転させるベルト駆動装置、４点支持によるスライド移動を可能にするスライド駆動装置、エアーシリンダによる昇降駆動装置等、又は、モータによって画像投射装置を揺動可能にする揺動駆動装置等、画像投射装置を移動又は／及び揺動させる駆動装置で構成することを含む。
【００２８】
前記構成により、撮像手段の移動に基づいて画像投射装置を移動又は／及び揺動することができ、確認画像の表示範囲内に撮像手段の撮像位置を位置させることもできる。これにより、利用者はカメラ目線のまま確認画像を確認することができると共に、大きく投射された確認画像で細部まで確認することができる。
【００２９】
また好ましい実施の形態として、前記表示手段による前記確認画像の投射範囲を投射範囲制御手段でソフトウェア的に変更することができる。
【００３０】
前記投射範囲制御手段は、表示手段に送信する画像データにおける確認画像の位置を制御する制御装置で構成することを含む。具体的には、例えば画像投射装置で投射可能な範囲の一部に前記確認画像を投射するべく画像データを設定して制御する、あるいは、モニタ装置で表示可能な範囲の一部に前記確認画像を表示するべく画像データを設定して制御することを含む。他にも、投射可能又は表示可能な全範囲に確認画像の一部を表示するべく画像データを設定して制御することも含む。
【００３１】
前記構成により、表示手段に対する駆動装置を省略してコストダウンを図る、あるいは駆動装置による確認画像の表示位置の変更に加えてソフトウェア的にも表示位置を変更して表示位置の変更の効果を高めることができる。
【００３２】
またこの発明は、画像が印刷されるシール紙と、該シール紙の真偽を識別させる識別体を備え、前記写真シール自動作成方法又は前記写真シール自動作成装置に備えられた識別手段で、前記識別体が識別されて前記所定の画像が印刷されるシール紙ユニットとすることができる。
【００３３】
前記識別体は、非接触でデータを読書きするＩＤタグ、情報を記録したバーコード又はＩＣカード、又は、特定形状に形成したシール紙ユニットのユニット形状であることを含む。
前記識別手段は、ＩＤタグに記憶のデータを読取るＩＤタグリーダ、バーコードを読取るバーコードスキャナ、ＩＣカードに記憶のデータを読取るＩＣカードリーダ、特定形状に形成したシール紙ユニットのユニット形状と嵌合する嵌合部であることを含む。
【００３４】
前記シール紙ユニットは、識別体とシール紙とを一体にして構成する、あるいは前記識別体とシール紙とを別体にして構成することを含む。
前記構成により、前記写真シール自動作成方法又は前記写真シール自動作成装置に適合したシール紙ユニットを確実に使用することができる。
【００３５】
またこの発明は、前記写真シール自動作成方法又は写真シール自動作成装置で、前記所定の画像を印刷する又は印刷した写真シールシートとすることができる。
これにより、利用者は思い通りに撮像した撮像画像に基づく写真シールシートを実際に取得することができる。
【００３６】
【発明の効果】
この発明により、利用者は撮像手段の撮像位置を変更させても、撮像画像と同一又はほぼ同一の確認画像でポーズや表情等の写り具合を確認して撮像することができ、思い通りの撮像画像を取得することができる。これにより、利用者の満足度が向上し、施設の売上向上を図ることができる。
【００３７】
【発明の実施の形態】
この発明の一実施形態を以下図面と共に説明する。
まず、図１に示す写真シール自動作成機１の外観斜視図、図２に示す筐体３の背面図、及び図３に示す筐体３内部の部分拡大図（一部断面図）と共に、写真シール自動作成機１の構成について説明する。
【００３８】
写真シール自動作成機１は、ボックス状に組み上げた枠体２からカーテン２ａ（正面側図示省略）を吊下げ、外部からボックス内が見えないように周囲を囲繞する。
【００３９】
該ボックス内には、中央少し奥側に筐体３を備え、該筐体３の正面側に利用者（被写体）が撮像するための撮像空間５を、該筐体３の背面側に利用者が落書き編集するための編集空間４をそれぞれ備える。
【００４０】
前記筐体３は、正面のうち上側半分以上の部分を、ストロボ照明装置１２で上下左右を囲繞したスクリーン面１４ａで形成し、該スクリーン面１４ａの幅方向中央にデジタルカメラ１５のレンズ部１５ａを備える。なお、該デジタルカメラ１５は、後述するように上下動可能に形成する。また、前記ストロボ照明装置１２は、正面を半透明の拡散板、他の面を白色塗装した反射板で構成し、その内部にストロボ発光するストロボ発光体を備えた照明ボックスで形成する。これにより、ストロボ発光体から背面方向に照射された照明光が前記反射板で反射し、拡散板で拡散して被写体をソフトな光で略均一に照明する。
【００４１】
前記筐体３の下部正面には、硬貨（又は紙幣）の投入を受け付ける貨幣投入口１７ａを備え、下部左側面には、写真シールシートを排出するシール排出口１８ａを備える。
【００４２】
撮像空間５の天井部には、枠体２の上部に幅方向に橋渡しして備えた支持板２ｂにプロジェクタ昇降装置１３を備え、該プロジェクタ昇降装置１３の下端にプロジェクタ１４を固着する。これにより、後述するようにプロジェクタ１４の上下移動を可能にする。
【００４３】
撮像空間５の右側部には、テンキー入力装置１１を備える。該テンキー入力装置１１は、デジタルカメラ１５の上下移動等、撮像に必要な利用者の入力操作を受け付ける
前記筐体３の背面は、図２に示すように、上部中央に蛍光灯照明装置２０を備え、該蛍光灯照明装置２０の下方位置にモニタ２１を備える。該モニタ２１には、タッチパネル２２ａを重ねて設け、該タッチパネル２２ａにタッチペン２２ｂ，２２ｂでタッチされた座標を入力信号として受け付ける入力装置を構成する。
【００４４】
筐体３の前記シール排出口１８ａの内側は、図３に示すように、下部にパソコンで構成した制御装置１０、その上にプリンタ１８を備え付ける。
【００４５】
該プリンタ１８には、シール紙ユニット３１をセットしており、該シール紙ユニット３１はロール状に巻いたシール紙３１ａと正規品か否かを識別させる識別データ等のデータを記憶させたＩＤタグ３１ｂとで構成する。
前記プリンタ１８の背部には、前記ＩＤタグ３１ｂに記憶の前記データを読取るＩＤタグリーダ／ライタ１９を備え付ける。
【００４６】
以上の構成により、利用者は撮像空間５でストロボ照明装置１２の照明を得たデジタルカメラ１５での撮像を実行し、編集空間４でタッチパネル２２ａをタッチペン２２ｂでタッチしての落書き編集を実行し、完成した編集画像をプリンタ１８で印刷して作成した写真シールシート３１ｃ（図３）を取得することができる。
【００４７】
次に、図４に示す筐体３の右側面断面図と共に、デジタルカメラ１５を上下移動させるカメラ上下動装置１６の構造について説明する。
【００４８】
カメラ上下動装置１６は、上下に配設したプーリ１６ａ，１６ｅにベルト１６ｄを張架し、該ベルト１６ｄの正面側の一部に接着した金属板１６ｃにデジタルカメラ１５を固着する。
【００４９】
前記プーリ１６ａは、正逆転可能なパルスモータ１６ｂの回転軸に接続し、該パルスモータ１６ｂの回転に従って回転する。
前記ベルト１６ｄは、外側面を白色に塗装し、これによりプロジェクタ１４から投射される画像を投影可能なスクリーン面１４ａ（図１）として機能する。
【００５０】
なお、前記デジタルカメラ１５に備えているレンズ部１５ａは、スクリーン面１４ａの幅方向中央に配置して被写体すなわち利用者を撮像可能にする。
【００５１】
以上の構造により、デジタルカメラ１５は上下移動することができ、利用者は自分の身長に合わせた高さに移動させる、あるいは全身撮像と上半身撮像とでそれぞれの撮像に適切な高さに移動させるといったことが可能となる。
【００５２】
また、プロジェクタ１４でスクリーン面１４ａ（図１）に投射する画像のうち、投影できないのはデジタルカメラ１５のレンズ部１５ａだけとなり、利用者は見やすい高さで十分に画像を確認することができる。
【００５３】
次に、図５に示すプロジェクタ昇降装置１３とプロジェクタ１４とを示す拡大斜視図と共に、プロジェクタ昇降装置１３の構造について説明する。
【００５４】
支持板２ｂには、円筒形の受け部材１３ｂ，１３ｂを左右に配設し、中央にオームギヤ１３ｅとパルスモータ１３ｃを備える。プロジェクタ１４の平面（上面）には、前記受け部材１３ｂ，１３ｂに挿通したガイド杆１３ａ，１３ａの下端を固着し、中央には前記オームギヤ１３ｅに挿通したネジ棒１３ｄを固着する。
【００５５】
前記オームギヤ１３ｅは、パルスモータ１３ｃの回転軸に挿着したオーム１３ｆに連結し、該パルスモータ１３ｃの回転に従って正逆回転する。該オームギヤ１３ｅの内側面は、ネジ棒１３ｄに適応するネジ溝を備えたナット状に形成し、オームギヤ１３ｅが回転するとネジ棒１３ｄが上下移動するように構成している。
【００５６】
前記受け部材１３ｂは、ガイド杆１３ａががたつくことなく上下に挿通可能に形成する。これにより、前記オームギヤ１３ｅとネジ棒１３ｄによるプロジェクタ１４の上下移動の際、プロジェクタ１４が斜めになる等の不都合を防止して水平に移動させることが可能になる。
【００５７】
以上の構造により、プロジェクタ１４は水平に昇降することができ、スクリーン面１４ａに投射する画像の表示位置を変更することができる。
【００５８】
次に、図６に示す回路ブロック図と共に、写真シール自動作成機１の構造と各装置の機能について説明する。
【００５９】
制御装置１０は、ＣＰＵ，ＲＯＭ，及びＲＡＭを内蔵して各装置の制御を実行し、該制御装置１０に接続して以下の各装置を備える。なお、制御装置１０は、プロジェクタ昇降装置１３によるプロジェクタ１４の昇降制御、カメラ上下動装置１６によるデジタルカメラ１５の上下動制御を実行する。
【００６０】
テンキー入力装置１１は、０から９の数字ボタンのうち押下された数字ボタンを入力信号として制御装置１０に送信する。これにより、デジタルカメラ１５の上下動の操作など撮像に必要な入力操作を許容する。
【００６１】
ストロボ照明装置１２は、制御装置１０からの照明制御信号に従ってストロボ発光を実行し、撮像時に被写体を略均一に照明する。なお、該ストロボ照明装置１２は、ストロボ照明に加えて蛍光灯照明装置又は／及び白熱灯照明装置を追加しても良く、またストロボ照明に替えて蛍光灯照明装置又は／及び白熱灯照明装置を備えても良い。
【００６２】
プロジェクタ昇降装置１３は、制御装置１０からの制御信号に従ってパルスモータ１３ｃ（図５）を回転駆動し、プロジェクタ１４を昇降（上下移動）させる。これにより、スクリーン面１４ａ（図１）に投影するプレビュー画像も上下移動させる。
【００６３】
プロジェクタ１４は、制御装置１０からの制御信号に従って稼働すると共にＲＧＢ信号に従って画像を投射し、スクリーン面１４ａ（図１）に撮像前のプレビュー画像や撮像画像等の画像を投影する。
【００６４】
デジタルカメラ１５は、制御装置１０からのシャッタ信号を受けて撮像を実行し、該撮像による撮像画像を静止画データで、また撮像前のプレビュー画像を動画データで、それぞれ画像データとして制御装置１０に送信する。
カメラ上下動装置１６は、制御装置１０からの制御信号に従ってパルスモータ１６ｂ（図４）を回転駆動し、デジタルカメラ１５を上下移動させる。
【００６５】
貨幣処理装置１７は、前述の貨幣投入口１７ａ（図１）の内部に位置して設けており、該貨幣投入口１７ａから投入された硬貨の真偽判別及び金種判別を実行する。該真偽判別及び金種判別が正であれば、プレイを開始する起動信号を制御装置１０に送信する。
【００６６】
プリンタ１８は、制御装置１０からプリント画像データを受信し、該プリント画像をシール紙３１ａに印刷して作成した写真シールシート３１ｃを排出する。
ＩＤタグリーダ／ライタ１９は、制御装置１０の更新信号に従ってシール紙ユニット３１のＩＤタグ３１ｂに印刷残回数などの設定データを記憶させ、読出信号として前記ＩＤタグ３１ｂに記憶のＩＤナンバーや印刷残回数などの設定データを制御装置１０に送信する。
【００６７】
蛍光灯照明装置２０は、制御装置１０からの照明制御信号に従って、編集空間４の照明を点灯／消灯する。なお、該蛍光灯照明装置２０は、白熱灯で形成しても良い。
【００６８】
モニタ２１は、制御装置１０からのＲＧＢ信号に従って、撮像画像、画像編集時のペンツールやスタンプルール等のアイテム画像等、落書き編集に必要な画像を表示する。
【００６９】
入力装置２２は、前述のタッチパネル２２ａとタッチペン２２ｂ（図２）とで構成し、利用者にタッチペン２２ｂでタッチされた座標を入力信号として制御装置１０に送信する。これにより、撮像画像に対するアイテム画像の配置など、落書き編集に必要な入力操作を許容する。
【００７０】
記憶装置２３は、照明光度やプレイ料金等の各種設定データ、及び、カメラ上下動装置１６によるデジタルカメラ１５の移動に連動してプロジェクタ昇降装置１３でプロジェクタ１４を移動させる連動プログラム等の必要なプログラムを記憶する。
【００７１】
なお、前記連動プログラムは、被写体をデジタルカメラ１５で撮像した撮像画像における目の位置が、デジタルカメラ１５のレンズ部１５ａの高さとなるように、プロジェクタ１４でスクリーン面１４ａに前記撮像画像を投影させるべく、カメラ上下動装置１６及びプロジェクタ昇降装置１３を連動させるプログラムで構成する。なお、この場合の被写体は、平均身長の女性の被写体を想定して連動距離を調整し設定しておく。
【００７２】
スピーカ２４は、制御装置１０から受取る音声信号に従って、利用者に対して撮像時のカウントダウンや残り時間、編集空間４で落書き編集できる旨等のアナウンスを行う。
以上の構造により、撮像時のプレビュー表示の際、利用者がテンキー入力装置１１を入力操作してデジタルカメラ１５の上下動を指示すると、制御装置１０は記憶装置２３の連動プログラムを実行する。該連動プログラムにより、制御装置１０はカメラ上下動装置１６及びプロジェクタ昇降装置１３を制御駆動し、デジタルカメラ１５を上下動させると共に、プロジェクタ１４を昇降させてスクリーン面１４ａのプレビュー画像を上下移動させる。
【００７３】
次に、図７の制御装置１０の動作を示す処理フロー図と共に、写真シール自動作成機１の動作について説明する。
利用者によって貨幣投入口１７ａ（図１）に硬貨等のコインが規定枚数投入されると、制御装置１０はプレイを開始する（ステップｎ１）。
【００７４】
制御装置１０は、デジタルカメラ１５で撮影している映像をプロジェクタ１４に送信し、スクリーン面１４ａにプレビュー画像を投影する。このとき、テンキー入力装置１１でデジタルカメラ１５を上下移動できる旨も表示し、カメラ移動とそれに伴うプロジェクタ移動が可能な状態にする（ステップｎ２）。
【００７５】
利用者にテンキー入力装置１１を入力操作されてカメラ移動の指示を受け付けると（ステップｎ３）、制御装置１０は記憶装置２３の連動プログラムを起動し、カメラ上下動装置１６及びプロジェクタ昇降装置１３を駆動してデジタルカメラ１５とプロジェクタ１４を連動する（ステップｎ４）。
【００７６】
ここで該連動について説明すると、例えば中央付近にあったデジタルカメラ１５を上方へ移動させたとすると、図８の説明図に示すようにプレビュー画像も連動する。すなわち、図８の（Ａ）に示すレンズ部１５ａの位置とプレビュー画像１４ｂの投影範囲ａの位置が、（Ｂ）に示すように上方へ連動して移動し、プレビュー画像１４ｂを投影範囲ｂの位置に投影する。
【００７７】
この連動により、デジタルカメラ１５が移動しても、プレビュー画像１４ｂの範囲内にある被写体の目の高さ近傍にレンズ部１５ａが常に位置する。このため、利用者が撮像画像のイメージを見やすい位置で正確に把握できるようにすると共に、大解像度で大きく表示して細部まで確認可能にしている。
【００７８】
なお、（Ａ）に示した位置より下方へデジタルカメラ１５を移動させた場合には、連動プログラムを実行する制御装置１０はプロジェクタ昇降装置１３を駆動せず、プレビュー画像１４ｂの位置をこれ以上下げないよう固定して、撮像画像全体をプレビュー可能にする。なお、この途中固定は行わず、あくまでも目線の高さを基準にしてプレビュー画像１４ｂの位置を下げるように設定しても良い。
【００７９】
このようにして利用者にカメラ位置変更後（変更中も含む）のプレビュー画像をリアルタイムに確認させた後（ステップｎ５）、制御装置１０は撮像処理を実行する。
【００８０】
該撮像処理では、制御装置１０はデジタルカメラ１５のシャッタタイミングと同期をとってストロボ照明装置１２をストロボ発光させ、該発光による照明を得た被写体の撮像画像を作成する（ステップｎ６）。
【００８１】
前記撮像処理が終了すると、筐体３（図１）の背面側の編集空間４で落書き編集ができる旨をスピーカ２４で音声案内し、制御装置１０は落書き処理を実行する。
【００８２】
該落書き処理では、前記撮像処理で取得した撮像画像に対し、フリーハンドで縁取り線やラメ線等の線が描けるペンツールや、予め設定されたフルーツや動物等のスタンプ画像を任意の場所に配置できるスタンプツール等、各種ツールを利用して編集画像を作成する落書き編集を許容する（ステップｎ７）。
【００８３】
前記落書き処理が終了すると、制御装置１０は前記編集画像を複数配置してシール紙３１ａに印刷し（ステップｎ８）、作成した写真シールシート３１ｃをシール排出口１８ａから排出する（ステップｎ９）。
【００８４】
以上の動作により、利用者は見やすい位置でプレビュー画像を確認して思い通りの撮像画像を取得することができる。この完成度の高い撮像画像に落書き編集した編集画像を、プリンタ１８で印刷して写真シールシート３１ｃを取得することができ、利用者の満足度が向上する。
【００８５】
これにより、落書き編集機能の高機能化や照明装置の工夫でアミューズメント性や仕上がりの美しさを追求する傾向にある写真シール自動作成機１に対し、利用者の期待に根本から応えることができる。すなわち、利用者の満足度を根本的に左右する表情等の細部の写り具合やポーズを、ほぼカメラ目線に近い視線で容易にプレビュー確認し、希望どおりに撮像することを可能にして、利用者の満足度を飛躍的に向上することができる。
【００８６】
なお、この実施形態では、デジタルカメラ１５及びプレビュー画像１４ｂの投影範囲の移動を連続的に無段階で実行可能にしているが、複数段階の選択式に構成しても良い。
【００８７】
例えば、２つのデジタルカメラ１５を図８の（Ａ）に示すレンズ部１５ａの位置と、（Ｂ）に示すレンズ部１５ａの位置とに配設し、利用者にいずれか一方のデジタルカメラ１５をテンキー入力装置１１で選択させるように構成する。これにより、下側（（Ａ）の位置）のデジタルカメラを選択された場合には、プレビュー画像１４ｂを投影範囲ａに投影し、上側（（Ｂ）の位置）のデジタルカメラを選択された場合には、プレビュー画像１４ｂを投影範囲ｂに投影するように制御装置１０で制御して、利用者の操作をより単純化させることができる。
【００８８】
この場合には、カメラ上下動装置１６でプロジェクタ１４の位置を変更してプレビュー画像１４ｂの投影範囲を変更しても良いが、制御装置１０でソフトウェア的にプロジェクタ１４によるプレビュー画像１４ｂの投影範囲を変更することが望ましい。また、プロジェクタ１４を２つ備え、選択されたデジタルカメラ１５に適した位置にプレビュー画像１４ｂを投影する側のプロジェクタ１４を使用するように構成しても良い。
【００８９】
これらにより、利用者はデジタルカメラ１５の選択後すぐに望ましい位置でプレビュー画像１４ｂを確認することができ、撮像処理での撮像角度の決定時間が短縮される。これにより、利用者は短時間で思いどおりの撮像画像を取得することができると共に、他の利用者の待ち時間も短縮でき、さらに回転率も向上することができる。
【００９０】
また、図６に仮想線で示すように、プロジェクタ１４は変換ボード１５ｂを介してデジタルカメラ１５と接続しても良い。この場合、前記変換ボード１５ｂは制御装置１０の制御信号とデジタルカメラ１５からの画像データを受け取り、該画像データを変換したＲＧＢ信号と前記制御信号をプロジェクタ１４に送信する。
【００９１】
これにより、制御装置１０の画像変換に要する負荷を軽減することができ、制御装置１０内のＣＰＵの性能として必要な要求速度が減少してコストダウンを図ることができる。その上、デジタルカメラ１５での画像取得からプロジェクタ１４での画像投射までのレスポンスを向上することもできる。
【００９２】
また、プロジェクタ昇降装置１３は、プロジェクタ１４を上下方向に揺動する駆動装置で形成しても良い。これにより、上下移動（昇降）であれば投影範囲の移動距離と同距離だけ移動が必要となるのに対し、揺動による画像投射角度のわずかな変更のみで投影範囲の位置変更を実行することができる。
【００９３】
次に、他の実施形態について図９に示す斜視図と共に説明する。
この実施形態では、筐体３の正面上半分を白色半透明の白色板で形成し、該白色板をスクリーン面１４ａとして構成する。
【００９４】
前記白色板の背面側に前上がりに傾斜させたハーフミラー２５を備え、該ハーフミラー２５の背面側にストロボ照明装置１２を備える。筐体３内部の背面側は、白色塗装した反射板１２ｂで形成し、筐体３内部の下方位置には、上方へ向かって画像を投射するプロジェクタ１４を備える。
【００９５】
前記ハーフミラー２５は、背面側から正面側に光を通し、正面側から背面側へは光を反射する向きに構成し、前記ストロボ照明装置１２の照明光を通過させて前記プロジェクタ１４の投射画像を反射する。
【００９６】
これにより、前記白色板を画像が投射されるスクリーン面１４ａとして使用すると共に、前記ストロボ照明装置１２の照明光を反射板１２ｂで反射した反射光を拡散し、被写体を略均一に照明する面光源として使用する。
【００９７】
前記筐体３の正面側中央には円筒形状のカメラ上下動装置１６を備え、該カメラ上下動装置１６の上端にデジタルカメラ１５を上下揺動可能に固着する。
【００９８】
前記カメラ上下動装置１６は、前記デジタルカメラ１５を適宜モータ駆動で揺動可能に揺動軸で支える揺動部１６ｊを備える。カメラ上下動装置１６の内部には、上下動するネジ棒１６ｇを芯部に備え、該ネジ棒１６ｇの上端部に前記揺動部１６ｊを備える。また、前記ネジ棒１６ｇと共に該ネジ棒１６ｇの上下動を実行するオームギヤ１６ｈとパルスモータ１６ｆも内部に備える。該オームギヤ１６ｈは、前記パルスモータ１６ｆの回転軸に挿着したオーム１６ｉに連結し、該パルスモータ１６ｆの回転に従って正逆回転する。該オームギヤ１６ｈの内側面は、ネジ棒１６ｇに適応するネジ溝を備えたナット状に形成し、オームギヤ１６ｈが回転するとネジ棒１６ｇが上下移動するように構成している。
【００９９】
前記プロジェクタ１４は、画像を投射する投射範囲をソフトウェア的に変更することが可能であり、筐体３内部に備えた制御装置１０（図示省略）のＲＧＢ信号に従って、該ＲＧＢ信号で指定された範囲内に画像を投射する。
【０１００】
制御装置１０は、前記カメラ上下動装置１６の上下動制御と連動して前記プロジェクタ１４での画像投射範囲を制御する。
すなわち、図１０の画像投射範囲説明図の（Ｃ）に示すように、撮像処理でデジタルカメラ１５が下方に位置している場合は、プロジェクタ１４は背面方向へ傾けてプレビュー画像を投射する。該プレビュー画像は、ハーフミラー２５で上下反転して反射し、スクリーン面１４ａの下方位置の投影範囲ｃに投影される。
【０１０１】
デジタルカメラ１５を揺動部１６ｊが揺動軸となって下方に揺動すると共に上方位置に移動させると、制御装置１０はプロジェクタ１４の画像投射方向を前方方向へ傾けていく。（Ｄ）に示す最上方にデジタルカメラ１５が位置して撮像方向の角度が斜め下方となっているときは、スクリーン面１４ａの上方位置の投影範囲ｄにプレビュー画像を投影する。
【０１０２】
なお、この実施形態においても、枠体２、カーテン２ａ、編集空間４、撮像空間５、制御装置１０、テンキー入力装置１１、貨幣処理装置１７、プリンタ１８、ＩＤタグリーダ／ライタ１９、蛍光灯照明装置２０、モニタ２１、入力装置２２、記憶装置２３、及びスピーカ２４を備えが、先の実施形態と同一の構成要素には同一符号を付してその詳細な説明を省略する。
【０１０３】
以上のようにして、デジタルカメラの移動とプレビュー画像を投影する投影範囲ｃ，ｄを連動させ、利用者はカメラ目線とほぼ同方向の視線でプレビュー画像を確認できる。
【０１０４】
なお、デジタルカメラ１５及びカメラ上下動装置１６を図１０に示すより被写体側（図示左側）へ備えた場合には、カメラ上下動装置１６はデジタルカメラ１５を揺動するのみで上下動しないように構成しても良い。この場合は、デジタルカメラ１５を下方へ揺動すると、投影範囲を上方へ移動させ、逆にデジタルカメラ１５を上方へ揺動すると、投影範囲を下方へ移動させると良い。
【０１０５】
この発明の構成と、上述の実施形態との対応において、
この発明の写真シール自動作成装置は、実施形態の写真シール自動作成機１に対応し、
以下同様に、
投射範囲制御手段及び選択制御手段は、制御装置１０に対応し、
表示位置制御手段は、制御装置１０及びプロジェクタ昇降装置１３に対応し、
投射用駆動手段は、プロジェクタ昇降装置１３に対応し、
表示手段は、プロジェクタ１４及びスクリーン面１４ａに対応し、
画像投射装置は、プロジェクタ１４に対応し、
確認画像は、プレビュー画像１４ｂに対応し、
撮像手段は、デジタルカメラ１５に対応し、
撮像用駆動手段は、カメラ上下動装置１６に対応し、
出力手段は、プリンタ１８に対応し、
識別手段は、ＩＤタグリーダ／ライタ１９に対応し、
編集手段は、入力装置２２に対応し、
識別体は、ＩＤタグ３１ｂに対応し、
表示位置及び投射範囲は、投影範囲ａ，ｂ，ｃ，ｄに対応するも、
この発明は、上述の実施形態の構成のみに限定されるものではなく、多くの実施の形態を得ることができる。
【図面の簡単な説明】
【図１】正面左上から見た写真シール自動作成機の外観斜視図。
【図２】筐体の背面図。
【図３】筐体内部の部分拡大図（一部断面図）。
【図４】筐体の右側面断面図。
【図５】プロジェクタ昇降装置とプロジェクタとを示す拡大斜視図。
【図６】写真シール自動作成機の回路ブロック図。
【図７】制御装置の動作を示す処理フロー図。
【図８】画像投射範囲の説明図。
【図９】他の実施形態における筐体の外観斜視図。
【図１０】他の実施形態における画像投射範囲の説明図。
【符号の説明】
１…写真シール自動作成機
１０…制御装置
１３…プロジェクタ昇降装置
１４…プロジェクタ
１４ａ…スクリーン面
１４ｂ…プレビュー画像
１５…デジタルカメラ
１６…カメラ上下動装置
１８…プリンタ
１９…ＩＤタグリーダ／ライタ
２２…入力装置
３１…シール紙ユニット
３１ａ…シール紙
３１ｂ…ＩＤタグ
３１ｃ…写真シールシート
ａ，ｂ，ｃ，ｄ…投影範囲
【図１】
2004032504.tif 000003
【図２】
2004032504.tif 000004
【図３】
2004032504.tif 000005
【図４】
2004032504.tif 000006
【図５】
2004032504.tif 000007
【図６】
2004032504.tif 000008
【図７】
2004032504.tif 000009
【図８】
2004032504.tif 000010
【図９】
2004032504.tif 000011
【図１０】
2004032504.tif 000012